(57)【要約】【課題】  救助すべき個人の安否を確認したいユーザが、当該個人の安否推測情報と、医療保険情報と、バイタルサインの情報および診療情報を携帯端末により確認することができる。【解決手段】  個人医療データベースおよびバイタル機器に記録された情報を受信し、該情報を記録する救援データベースと、救援データベースに記録された、診療情報およびバイタルサインの情報の比較により、個人の安否状況を推測する安否推測情報を計算する安否状況計算部と、救援データベースに記録された医療保険情報と、安否状況計算部により計算された安否推測情報と、救援データベースに記録されたバイタルサインの情報および診療情報とにアクセスし、医療保険情報、安否推測情報、バイタルサインの情報および診療情報とを表示する携帯端末とを備える。【選択図】図１
2012248146.tif 000002
【特許請求の範囲】
【請求項１】
複数の個人の診療情報または医療保険情報を記録した個人医療データベースと、
前記個人のバイタルサインを計測し、該計測されたバイタルサインの情報を記録する個人装着用のバイタル機器と、
前記個人医療データベースおよび前記バイタル機器と通信接続され、前記個人医療データベースおよび前記バイタル機器に記録された情報を受信し、該情報を記録する救援データベースと、
前記救援データベースに記録された、診療情報およびバイタルサインの情報の比較により、個人の安否状況を推測する安否推測情報を計算する安否状況計算部と、
前記救援データベースに記録された医療保険情報と、前記安否状況計算部により計算された安否推測情報と、前記救援データベースに記録されたバイタルサインの情報および診療情報とにアクセスし、前記医療保険情報、前記安否推測情報、前記バイタルサインの情報および前記診療情報とを表示する携帯端末とを備えたことを特徴とする救援支援システム。
【請求項２】
前記バイタル機器は、個人の体温、呼吸数、血圧、心拍数、心電情報のうち少なくとも１つ以上を記録するものであって、更に、前記個人の位置情報をグローバル・ボジショニング・システムにより記録するものであって、前記位置情報を救援データベースに定期的に送信するものであって、
前記救援データベースは、前記送信された位置情報を記録することを特徴とする請求項１記載の救援支援システム。
【請求項３】
前記安否状況計算部は、更に、前記救援データベースに記録された位置情報から最新の位置情報を推測するものであって、前記推測された位置情報から前記推測した安否推測情報を計算することを特徴とする請求項２記載の救援支援システム。
【請求項４】
前記安否状況計算部は、前記救援データベースに記録された過去のバイタルサインの情報および最新のバイタルサイン情報の比較により、前記安否推測情報を計算することを特徴とする請求項１から３いずれか１項記載の救援支援システム。
【請求項５】
前記携帯端末は、個人を救援すべき事由情報を入力する入力部を備えるものであって、
前記安否状況計算部は、前記事由情報に基づいて、前記安否推測情報を計算することを特
徴とする請求項１から４いずれか１項記載の救援支援システム。
【請求項６】
前記バイタル機器のグローバル・ポジション・システムは、双方向に通信可能なものであって、前記救援データベースは、最新の位置情報を受信するための指示を発信し、該指示に応じて最新の位置情報を受信し、記録することを特徴とする請求項１から５いずれか１項記載の救援支援システム。
【請求項７】
前記救援データベースは、更に、救助部隊の位置情報を記録するものであって、
前記安否状況計算部は、前記救助部隊の位置情報と、前記複数の個人の最新の位置情報とを比較して、最も近い個人の安否推測情報の表示優先度を高く設定するものであって、
前記携帯端末は、前記表示優先度の高い順に前記安否推測情報を表示することを特徴とする請求項１から６いずれか１項記載の救援支援システム。
【請求項８】
複数の個人の診療情報または医療保険情報を記録した個人医療データベースと、
前記個人のバイタルサインを計測し、該計測されたバイタルサインの情報を記録する個人装着用のバイタル機器および前記個人医療データベースと通信接続され、前記個人医療データベースおよび前記バイタル機器に記録された情報を受信し、該情報を記録する救援データベースと、
前記救援データベースに記録された、診療情報およびバイタルサインの情報の比較により、個人の安否状況を推測する安否推測情報を計算する安否状況計算部と、
前記救援データベースに記録された医療保険情報と、前記安否状況計算部により計算された安否推測情報と、前記救援データベースに記録されたバイタルサインの情報および診療情報とにアクセスし、前記医療保険情報、前記安否推測情報、前記バイタルサインの情報および診療情報とを表示する携帯端末とを備えたことを特徴とする救援支援システム。
【発明の詳細な説明】
【技術分野】
【０００１】
本発明は、救援支援システムに関するものであって、特に、バイタルサインの情報を利用した救援支援システムに関するものである。
【背景技術】
【０００２】
従来、グローバル・ボジショニング・システム（以下、ＧＰＳという）を利用した救助システムが知られている。
例えば、海難事故等における遭難者のＧＰＳによる位置情報を利用して、より短時間にかつ効率的に救助活動を支援する技術が、特許文献１に提案されている。
【先行技術文献】
【特許文献】
【０００３】
【特許文献１】特開平９−３０４５０６号公報
【発明の概要】
【発明が解決しようとする課題】
【０００４】
上述した救助システムは、例えば、遭難者から受信したＧＰＳ受信機の絶対位置から最も近くの救助艇を自動的に選択し、選択された救助艇に遭難者の位置情報を送信して自動的に遭難現場へ急行させる救助システム処理装置をシステムに設けることにより、遭難者が緊急を要している場合に、短時間のうちに最も適している救助艇を急行させることができる。
【０００５】
しかしながら、このような救急の現場においては、その遭難者本人を診断する際に必要な電子カルテ等の医療情報が無いため、医師は、その本人の過去の診断結果を把握することができない状況下によって、診断、治療を行なわなければならないという問題があった。
【０００６】
また、東北地方太平洋沖地震のような大勢の被害者が発生した場合、救助部隊が救助できる許容範囲を大きく超えた遭難者数が発生してしまい、どの遭難者を救助すべきか判断が難しくなるという問題があった。
【０００７】
そこで、本発明は、上記事情に鑑み、遭難者のバイタルサインの情報および診療情報を利用した救援支援システムを提供することを目的とする。
【課題を解決するための手段】
【０００８】
本発明の救援支援システムは、複数の個人の診療情報または医療保険情報を記録した個人医療データベースと、個人のバイタルサインを計測し、該計測されたバイタルサインの情報を記録する個人装着用のバイタル機器と、個人医療データベースおよびバイタル機器と通信接続され、個人医療データベースおよびバイタル機器に記録された情報を受信し、該情報を記録する救援データベースと、救援データベースに記録された、診療情報およびバイタルサインの情報の比較により、個人の安否状況を推測する安否推測情報を計算する安否状況計算部と、救援データベースに記録された医療保険情報と、安否状況計算部により計算された安否推測情報と、救援データベースに記録されたバイタルサインの情報および診療情報とにアクセスし、医療保険情報、安否推測情報、バイタルサインおよび診療情報の情報とを表示する携帯端末とを備えたものである。
【０００９】
「安否推測情報」とは、個人の安否がどのような状況であるかを推測した情報であって、例えば、生命が維持しているであろう時間等を示すものである。
【００１０】
本発明の救援支援システムは、バイタル機器は、個人の体温、呼吸数、血圧、心拍数、心電情報のうち少なくとも１つ以上を記録するものであって、更に、個人の位置情報をグローバル・ボジショニング・システムにより記録するものであって、位置情報を救援データベースに定期的に送信するものであって、救援データベースは、送信された位置情報を記録するものであってもよい。
【００１１】
本発明の救援支援システムの安否状況計算部は、更に、救援データベースに記録された位置情報から最新の位置情報を推測するものであって、推測された位置情報から推測した安否推測情報を計算するものであってもよい。
【００１２】
本発明の救援支援システムの安否状況計算部は、救援データベースに記録された過去のバイタルサインの情報および最新のバイタルサイン情報の比較により、安否推測情報を計算するものであってもよい。
【００１３】
本発明の救援支援システムの携帯端末は、個人を救援すべき事由情報を入力する入力部を備えるものであって、安否状況計算部は、事由情報に基づいて、安否推測情報を計算するものであってもよい。
【００１４】
本発明の救援支援システムのバイタル機器のグローバル・ポジション・システムは、双方向に通信可能なものであって、救援データベースは、最新の位置情報を受信するための指示を発信し、指示に応じて最新の位置情報を受信し、記録するものであってもよい。
【００１５】
本発明の救援支援システムにおいて、救援データベースは、更に、救助部隊の位置情報を記録するものであって、安否状況計算部は、救助部隊位置情報と、複数の個人の最新の位置情報とを比較して、最も近い個人の安否推測情報の表示優先度を高く設定するものであって、携帯端末は、表示優先度の高い順に前記安否推測情報を表示するものであってもよい。
【００１６】
本発明の救援支援システムは、複数の個人の診療情報または医療保険情報を記録した個人医療データベースと、個人のバイタルサインを計測し、該計測されたバイタルサインの情報を記録する個人装着用のバイタル機器および個人医療データベースと通信接続され、個人医療データベースおよびバイタル機器に記録された情報を受信し、該情報を記録する救援データベースと、救援データベースに記録された、診療情報およびバイタルサインの情報の比較により、個人の安否状況を推測する安否推測情報を計算する安否状況計算部と、救援データベースに記録された医療保険情報と、安否状況計算部により計算された安否推測情報と、救援データベースに記録されたバイタルサインの情報および診療情報とにアクセスし、医療保険情報、安否推測情報、バイタルサインの情報および診療情報とを表示する携帯端末とを備えたものである。
【発明の効果】
【００１７】
本発明の救援支援システムによれば、個人医療データベースおよびバイタル機器に記録された情報を受信し、該情報を記録する救援データベースと、救援データベースに記録された、診療情報およびバイタルサインの情報の比較により、個人の安否状況を推測する安否推測情報を計算する安否状況計算部と、救援データベースに記録された医療保険情報と、安否状況計算部により計算された安否推測情報と、救援データベースに記録されたバイタルサインの情報とにアクセスし、医療保険情報、安否推測情報、バイタルサインの情報とを表示する携帯端末を備えるため、救助すべき個人の安否を確認したいユーザは、安否推測情報と、医療保険情報と、バイタルサインの情報とを携帯端末により確認することができ、救助するための適切な診断・治療の判断を行うことができる。また、救助すべき複数の個人が存在した場合、安否推測情報を利用して、至急救助すべき個人の特定が可能となる。
【図面の簡単な説明】
【００１８】
【図１】本発明の実施形態における救援支援システムを示す図
【図２】本発明の携帯端末に表示される画面の例
【発明を実施するための形態】
【００１９】
本発明の実施の形態となる救援支援システム３０について、図面を参照しつつ説明する。救援支援システム３０は、複数の個人の診療情報または医療保険情報を記録した個人医療データベース５と、個人のバイタルサインを計測し、該計測されたバイタルサインの情報を記録する個人装着用のバイタル機器１０と、個人医療データベース５およびバイタル機器１０と通信接続され、個人医療データベース５およびバイタル機器１０に記録された情報（例えば、体温、呼吸数、血圧、心拍数、心電情報、心拍情報その他情報等のうち少なくとも１つ以上）を受信し、該情報を記録する救援データベース１５と、救援データベース１５に記録された、診療情報およびバイタルサインの情報の比較により、個人の安否状況を推測する安否推測情報を計算する安否状況計算部２０と、救援データベースに記録された診療情報及び医療保険情報と、安否状況計算部２０により計算された安否推測情報と、救援データベースに記録されたバイタルサインの情報とにアクセスし、医療保険情報、安否推測情報、バイタルサインの情報および診療情報とを表示する携帯端末２５とを備えたものである。この安否推測情報とは、個人の安否がどのような状況であるかを推測した情報であって、例えば、図２に示す生命維持推測値のように、生命が維持しているであろう時間等を示すものであったり、緊急搬送の重症度・緊急度を示すものである。
【００２０】
また、ユーザは、コンピュータによりインターネット回線を介して個人医療データベース５に、予め個人の診療情報（カルテ情報、薬物反応などの情報等）を登録することができる。
【００２１】
バイタル機器１０は、通信機能を備えるものであって、個人のバイタルサイン（体温、呼吸数、血圧、心拍数、心電情報の少なくともいずれか１つ以上）を計測し、計測されたバイタルサインを記録するものである。また、バイタル機器１０は、ＧＰＳ機能を備えるものであって、個人の位置情報をＧＰＳにより記録するものであって、位置情報を救援データベース１５に定期的に送信するものである。また、バイタル機器１０は、ユーザの操作により、位置情報を救援データベース５に送信するものであってもよい。そして、救援データベース１５は、バイタル機器１０により送信された位置情報を記録する。
【００２２】
また、バイタル機器１０は、特開２００６−１８５４３６号公報に記載された位置情報取得機能を備えるものであってもよいし、衛星通信が遮断された場合においても、位置情報に関連する履歴データ（歩数データ等）や天候、地理情報をコンピュータによる計算処理することにより、推測された位置情報を算出し、当該位置情報を救援データベース１５に送信できる。また、バイタル機器１０のＧＰＳは、双方向に通信可能なものであって、救援データベースは、最新の位置情報を受信するための指示を発信し、指示に応じて最新の位置情報を受信し、記録するものであってもよい。
【００２３】
バイタル機器１０は、ユーザの操作により、無線によるインターネット回線を介して、医療保険（例えば、登山の場合は山岳保険、生命保険等）に加入することができる。このバイタル機器１０により加入された医療保険情報は、個人医療データベース５に記録される。なお、この医療保険情報には、ユーザが不慮の事故や突然の発病時に医師や医療施設に対し、開示する事前同意を行う旨の署名情報が含まれていてもよい。
【００２４】
また、バイタル機器１０は、予めユーザのバイタルサインの規定値を記録することができ、その規定値と、計測されたバイタルサインの値との差異値を計算し、処理することができる。
【００２５】
バイタル機器１０は、この計算された差異値が大きい場合、無線通信（インターネット、電話回線等）を用いて、個人医療データベース５にバイタルサインの情報、差異値、規定値および位置情報を送信する。
【００２６】
また、バイタル機器１０は、各種モードを設定することができる。例えば、登山モード（ハイキングモード）、雪山モード、高齢者モード、津波等の被災を想定した通常モードを選択できる。各種モードにより、上述した情報の送信時期や送信場所が異なるように設定してもよい。また、バイタル機器１０はタッチパネル機能を備えるものであってもよい。
【００２７】
また、バイタル機器１０は、救援データベース１５に対して、人名情報、通話状態（通話可能か否か）、申告事項（例えば、登山モードを選択した場合、胸を強打した等の申告）、連絡先の情報を送信できる。
また、バイタル機器１０は、バイタルサインの計測機能と、ＧＰＳ機能が別体であってもよい。別体の場合、バイタルサインの計測機能装置は、短距離無線、近距離通信網を利用してもよい。また、ＧＰＳ機能装置も同様に、短距離無線、近距離通信網を利用してもよい。
【００２８】
個人医療データベース５は、ユーザの身体状況に応じて、バイタル機器１０が継続的なバイタルサインの情報の送信するように依頼を行い、情報の更新を行うことができる。更に、個人医療データベース１５は、災害予報が行われる予測通知を受けた際には、バイタル機器１０に対して、バイタルサインの情報の送信する頻度を高めるように依頼を行い、情報の更新を行う。
【００２９】
個人医療データベース５は、ユーザにより予め登録されたバイタルサインの情報と、バイタル機器１０により計測されたバイタルサインの情報を比較し、それらの情報の妥当性の判断処理を行うことができる。また、個人医療データベース５は、予めユーザの事前承認を得た診療情報と医療保険情報と位置情報を救援データベース１５または、医療施設、救急救命センター、救急機関、救援機関、老人ホーム、自衛隊・警察・消防の救急対策の施設に備えられた携帯端末２５に送信することができる。
【００３０】
救援データベース１５は、ユーザの被害状況が保険約款と合致する場合は、保険会社へ通知可能な機能を備える。
【００３１】
コンピュータである携帯端末２５は、救援データベース１５により取得された情報から、救急救命の出動要請、病院の受け入れ手配を行うことができる。また、携帯端末２５は、バイタル機器１０を装着したユーザの情報を取得することができるため、携帯端末２５を備える施設にて、医師の治療を円滑に行うことができる。
【００３２】
また、当該施設では、事前に通知された医療情報により健康保険の他、山岳保険などの当該保険の加入状況を知ることができることから、保険約款情報と合致する場合に限りユーザに問い合わせること無く保険会社への問い合わせや、請求を行うことができる。
【００３３】
安否状況計算部２０は、救援データベース１５に記録された診療情報（電子カルテ等）およびバイタル機器１０により計測されたバイタルサインの情報を比較し、その差異が大きい場合は、異常であると判別し、その差異が少ない場合は通常であると判別する。
【００３４】
例えば、安否状況計算部２０は、心拍数の場合、電子カルテに記載された通常の心拍数と、バイタル機器１０により計測された心拍数の差異を判別する。
【００３５】
安否状況計算部２０は、救援データベース１５に記録された種々の情報を用いて、緊急搬送における重症度・緊急度判断基準に照らして、図２に示すような重症度・緊急度に関する安否推測情報を計算する。この重症度・緊急度判断基準とは、『平成15年度  財団法人  全国市町村振興協会助成事業  「救急搬送における重症度・緊急度判断基準作成委員会 報告書」平成16年  財団法人  救急振興財団』等の判断基準をデータベース化したものである。
【００３６】
安否状況計算部２０は、同一現場における多数の傷病者が発生した場合において、重症度と緊急性によって分別するトリアージの判断をすることができる。
【００３７】
なお、安否状況計算部２０は、バイタル機器１０より、登山モードである情報を受信している場合、通常の登山で起こりうる心拍数の差異を考慮して、判別する。
【００３８】
安否状況計算部２０は、救援データベース１５に記録された位置情報から最新の位置情報を推測するものであって、推測された位置情報から推測した安否推測情報を計算するものである。
【００３９】
例えば、安否状況計算部２０は、バイタル機器１０により計測された、個人の位置情報（例えば、Ａ地点、Ｂ地点）の移動軌跡の情報と、救援データベース１５に記録された地図情報から、移動軌跡に沿った道から次の地点（例えば、Ｃ地点）を推測するための計算を行うことができる。
【００４０】
安否状況計算部２０は、救援データベース１５に記録された過去のバイタルサインの情報および救援データベース１５（または個人医療データベース５）に記録された最新のバイタルサイン情報の比較により、安否推測情報を計算することができる。
【００４１】
例えば、安否状況計算部２０は、図２に示すような、経過時間毎にバイタルサインの情報を記録し、経過時間毎のバイタルサインのうちの過去のバイタルサインの情報および最新のバイタルサイン情報の比較を行い、異常な状態であるかを判別し、生命維持推測値を算出する。
【００４２】
携帯端末２５（例えば、ノートパソコン等）は、救援データベース１５に記録された情報を表示することができる。例えば、携帯端末２５は、図２に示すような画面を表示する。携帯端末２５は、個人を救援すべき事由情報（登山、雪山、高齢者、津波、地震）を入力する入力部（例えば、マウス、キーボード等）を備えるものである。また、安否状況計算部２０は、入力部により入力された事由情報を受け付け、その事由情報に基づいて、安否推測情報を計算するものであってもよい。
【００４３】
例えば、携帯端末２５は、登山であることを入力した場合、図２に示すように登山保険に関する情報を表示し、更に登山の場合における安否推測情報（例えば、生命維持推測値）を表示する。本発明の救援支援システム３０において、救援データベースは、更に、救助部隊の位置情報を記録するものであって、安否状況計算部２０は、救助部隊の位置情報と、複数の個人の最新の位置情報とを比較して、最も近い個人の安否推測情報の表示優先度を高く設定するものであって、携帯端末は、表示優先度の高い個人順に前記安否推測情報を表示するものである。例えば、図２に示すように○×太郎氏は、救助部隊が登場するヘリコプターのヘリ座標との位置が近い場合と、○×太郎氏より重症な△△次郎氏がヘリ座標から２０ｋｍ離れた場所にいる場合、○×太郎氏の優先度を高く設定する。それにより、津波等の大災害において、安否推測情報に基づいて、救助部隊が救助しやすい個人順に表示することを可能とする。なお、上述した○×太郎が明らかに軽傷である場合は、安否推測情報に基づいて重症であると判断される△△次郎の優先度を高く設定する。
また、携帯端末２５は、図２に示すように、位置情報から近接病院を表示することができる。
【００４４】
救援支援システム３０は、複数の個人の診療情報または医療保険情報を記録した個人医療データベース５と、個人のバイタルサインを計測し、該計測されたバイタルサインの情報を記録する個人装着用のバイタル機器１０および個人医療データベース５と通信接続され、個人医療データベース５および救援データベース１５に記録された情報（例えば、医療情報、バイタルサインの情報、医療保険情報、診療情報等）を受信し、該情報を記録する救援データベース１５と、救援データベース１５に記録された、診療情報およびバイタルサインの情報の比較により、個人の安否状況を推測する安否推測情報を計算する安否状況計算部２０と、救援データベース１５に記録された医療保険情報と、安否状況計算部２０により計算された安否推測情報２０と、救援データベース１５に記録されたバイタルサインの情報とにアクセスし、医療保険情報、安否推測情報、バイタルサインの情報および診療情報とを表示する携帯端末２５とを備えたものである。また、携帯端末２５は、施設ごとに設置され、複数の携帯端末（２５Ａ〜２５Ｚ）存在してもよい。また、救援データベース１５はクラウド設計として、複数の携帯端末がアクセスできるものであってもよい。
【００４５】
安否状況計算部２０は、救援データベース１５内に構成されるものであってもよいし、別体からなるコンピュータであってもよい。なお、安否状況計算部２０は、別体の場合であっても、救援データベース１５と双方向に通信可能である。
【００４６】
携帯端末２５は、ノートパソコンを例に説明したが、デスクトップパソコンや、携帯電話、通信機能を備えた携帯型パソコンであってもよい。
本発明の実施形態における救援支援システム３０によれば、個人医療データベース５およびバイタル機器に記録された情報を受信し、該情報を記録する救援データベース１５と、救援データベース１５に記録された、診療情報およびバイタルサインの情報の比較により、個人の安否状況を推測する安否推測情報を計算する安否状況計算部２０と、救援データベースに記録された医療保険情報と、安否状況計算部により計算された安否推測情報と、救援データベース１５に記録されたバイタルサインの情報および診療情報とにアクセスし、医療保険情報、安否推測情報、バイタルサインの情報および診療情報とを表示する携帯端末２５を備えるため、救助すべき個人の安否を確認したいユーザは、安否推測情報と、医療保険情報と、バイタルサインの情報および診療情報とを携帯端末により確認することができ、救助するための適切な診断・治療の判断を行うことができる。また、救助すべき複数の個人が存在した場合、安否推測情報を利用して、至急救助すべき個人の特定が可能となる。
【符号の説明】
【００４７】
５    個人医療データベース
１０  バイタル機器
１５  救援データベース
２０  安否状況計算部
２５  携帯端末
３０  救援支援システム
【図１】
2012248146.tif 000003
【図２】
2012248146.tif 000004
【手続補正書】
【提出日】平成23年10月20日(2011.10.20)
【手続補正１】
【補正対象書類名】特許請求の範囲
【補正対象項目名】全文
【補正方法】変更
【補正の内容】
【特許請求の範囲】
【請求項１】
複数の個人の診療情報または医療保険情報を記録した個人医療データベースと、
前記個人のバイタルサインを計測し、該計測されたバイタルサインの情報を記録する個人装着用のバイタル機器と、
前記個人医療データベースおよび前記バイタル機器と通信接続され、前記個人医療データベースおよび前記バイタル機器に記録された情報を受信し、該情報を記録する救援データベースと、
前記救援データベースに記録された、診療情報およびバイタルサインの情報の比較により、個人の安否状況を推測する安否推測情報を計算する安否状況計算部と、
前記救援データベースに記録された医療保険情報と、前記安否状況計算部により計算された安否推測情報と、前記救援データベースに記録されたバイタルサインの情報および診療情報とにアクセスし、前記医療保険情報、前記安否推測情報、前記バイタルサインの情報および前記診療情報とを表示する携帯端末とを備えるものであって、
前記救援データベースは、更に、救助部隊の位置情報を記録するものであって、前記安否状況計算部は、前記救助部隊の位置情報と、前記複数の個人の最新の位置情報とを比較して、最も近い個人の安否推測情報の表示優先度を高く設定するものであり、
前記携帯端末は、前記表示優先度の高い順に前記安否推測情報を表示するものであって、前記安否推測情報に基づいて重症であると判断した際には、表示優先度を高く設定することを特徴とする救援支援システム。
【請求項２】
前記バイタル機器は、個人の体温、呼吸数、血圧、心拍数、心電情報のうち少なくともいずれか１つ以上を記録するものであって、更に、前記個人の位置情報をグローバル・ボジショニング・システムにより記録するものであって、前記位置情報を救援データベースに定期的に送信するものであって、
前記救援データベースは、前記送信された位置情報を記録することを特徴とする請求項１記載の救援支援システム。
【請求項３】
前記安否状況計算部は、前記救援データベースに記録された過去のバイタルサインの情報および最新のバイタルサイン情報の比較により、前記安否推測情報を計算することを特徴とする請求項１または２記載の救援支援システム。
【請求項４】
前記バイタル機器のグローバル・ポジション・システムは、双方向に通信可能なものであって、前記救援データベースは、最新の位置情報を受信するための指示を発信し、該指示に応じて最新の位置情報を受信し、記録することを特徴とする請求項１から３いずれか１項記載の救援支援システム。
【請求項５】
前記安否状況計算部は、前記バイタル機器により計算された個人の位置情報の移動軌跡の情報と、前記救援データベースに記録された地図情報とに基づいて、移動軌跡に沿った道から次の地点を推測するための計算を行うものであることを特徴とする請求項１から４いずれか１項記載の救援支援システム。
【請求項６】
複数の個人の診療情報または医療保険情報を記録した個人医療データベースと、
前記個人のバイタルサインを計測し、該計測されたバイタルサインの情報を記録する個人装着用のバイタル機器および前記個人医療データベースと通信接続され、前記個人医療データベースおよび前記バイタル機器に記録された情報を受信し、該情報を記録する救援データベースと、
前記救援データベースに記録された、診療情報およびバイタルサインの情報の比較により、個人の安否状況を推測する安否推測情報を計算する安否状況計算部と、
前記救援データベースに記録された医療保険情報と、前記安否状況計算部により計算された安否推測情報と、
前記救援データベースに記録されたバイタルサインの情報および診療情報とにアクセスし、前記医療保険情報、前記安否推測情報、前記バイタルサインの情報および診療情報とを表示する携帯端末とを備えるものであって、
前記救援データベースは、更に、救助部隊の位置情報を記録するものであって、前記安否状況計算部は、前記救助部隊の位置情報と、前記複数の個人の最新の位置情報とを比較して、最も近い個人の安否推測情報の表示優先度を高く設定するものであり、
前記携帯端末は、前記表示優先度の高い順に前記安否推測情報を表示するものであって、前記安否推測情報に基づいて重症であると判断した際には、表示優先度を高く設定することを特徴とする救援支援システム。
【手続補正書】
【提出日】平成24年1月27日(2012.1.27)
【手続補正１】
【補正対象書類名】特許請求の範囲
【補正対象項目名】全文
【補正方法】変更
【補正の内容】
【特許請求の範囲】
【請求項１】
複数の個人の診療情報または医療保険情報を記録した個人医療データベースと、
前記個人のバイタルサインを計測し、該計測されたバイタルサインの情報を記録する個人装着用のバイタル機器と、
前記個人医療データベースおよび前記バイタル機器と通信接続され、前記個人医療データベースおよび前記バイタル機器に記録された情報を受信し、該情報を記録する救援データベースと、
前記救援データベースに記録された、診療情報およびバイタルサインの情報の比較により、個人の安否状況を推測する安否推測情報を計算する安否状況計算部と、
前記救援データベースに記録された医療保険情報と、前記安否状況計算部により計算された安否推測情報と、前記救援データベースに記録されたバイタルサインの情報および診療情報とにアクセスし、前記医療保険情報、前記安否推測情報、前記バイタルサインの情報および前記診療情報とを表示する携帯端末とを備えるものであって、
前記救援データベースは、更に、救助部隊の位置情報を記録するものであって、前記安否状況計算部は、前記救助部隊の位置情報と、前記複数の個人の最新の位置情報とを比較して、最も近い個人の安否推測情報の表示優先度を高く設定するものであり、
前記携帯端末は、前記表示優先度の高い順に前記安否推測情報を表示するものであって、前記安否推測情報に基づいて重症であると判断した際には、前記表示優先度を更に高く設定することを特徴とする救援支援システム。
【請求項２】
前記バイタル機器は、個人の体温、呼吸数、血圧、心拍数、心電情報のうち少なくともいずれか１つ以上を記録するものであって、更に、前記個人の位置情報をグローバル・ボジショニング・システムにより記録するものであって、前記位置情報を救援データベースに定期的に送信するものであって、
前記救援データベースは、前記送信された位置情報を記録することを特徴とする請求項１記載の救援支援システム。
【請求項３】
前記安否状況計算部は、前記救援データベースに記録された過去のバイタルサインの情報および最新のバイタルサイン情報の比較により、前記安否推測情報を計算することを特徴とする請求項１または２記載の救援支援システム。
【請求項４】
前記バイタル機器のグローバル・ポジション・システムは、双方向に通信可能なものであって、前記救援データベースは、最新の位置情報を受信するための指示を発信し、該指示に応じて最新の位置情報を受信し、記録することを特徴とする請求項１から３いずれか１項記載の救援支援システム。
【請求項５】
前記安否状況計算部は、前記バイタル機器により計算された個人の位置情報の移動軌跡の情報と、前記救援データベースに記録された地図情報とに基づいて、移動軌跡に沿った道から次の地点を推測するための計算を行うものであることを特徴とする請求項１から４いずれか１項記載の救援支援システム。
【請求項６】
複数の個人の診療情報または医療保険情報を記録した個人医療データベースと、
前記個人のバイタルサインを計測し、該計測されたバイタルサインの情報を記録する個人装着用のバイタル機器および前記個人医療データベースと通信接続され、前記個人医療データベースおよび前記バイタル機器に記録された情報を受信し、該情報を記録する救援データベースと、
前記救援データベースに記録された、診療情報およびバイタルサインの情報の比較により、個人の安否状況を推測する安否推測情報を計算する安否状況計算部と、
前記救援データベースに記録された医療保険情報と、前記安否状況計算部により計算された安否推測情報と、
前記救援データベースに記録されたバイタルサインの情報および診療情報とにアクセスし、前記医療保険情報、前記安否推測情報、前記バイタルサインの情報および診療情報とを表示する携帯端末とを備えるものであって、
前記救援データベースは、更に、救助部隊の位置情報を記録するものであって、前記安否状況計算部は、前記救助部隊の位置情報と、前記複数の個人の最新の位置情報とを比較して、最も近い個人の安否推測情報の表示優先度を高く設定するものであり、
前記携帯端末は、前記表示優先度の高い順に前記安否推測情報を表示するものであって、前記安否推測情報に基づいて重症であると判断した際には、前記表示優先度を更に高く設定することを特徴とする救援支援システム。